(57)【要約】      （修正有）【課題】複数の床パネルが並べられた浴室床において、床パネルどうしを確実かつ容易に接続できる浴室床パネル接続装置を提供する。【解決手段】浴室床２における隣り合う第１床パネル及び第２床パネルどうしを浴室床パネル接続装置２０によって接続する。第１床パネルには浴室床パネル接続装置２０の第１接続部品を設け、第２床パネルには第２接続部品を設ける。第１接続部品の操作部材によって係合部材を着脱位置と拘束位置との間で移動可能とする。第２接続部品は、着脱位置における係合部材と着脱可能かつ拘束位置における係合部材によって離間不能に拘束される。【選択図】図１
2020059993.tif 000002
【特許請求の範囲】
【請求項１】
互いに並べられた複数の床パネルを備えた浴室床における、隣接方向に隣り合う第１床パネル及び第２床パネルどうしを接続する浴室床パネル接続装置であって、
係合部材及び操作部材を有して、前記第１床パネルに設けられた第１接続部品と、
前記第２床パネルに設けられた第２接続部品と、を備え、
前記操作部材の操作によって、前記係合部材が、前記隣接方向と交差する変位方向に沿って着脱位置と拘束位置との間で移動可能であり、
前記第２接続部品が、前記着脱位置における前記係合部材と着脱可能かつ前記拘束位置における前記係合部材によって離間不能に拘束されることを特徴とする浴室床パネル接続装置。
【請求項２】
前記操作部材が、前記第１接続部品の上面に現れていることを特徴とする請求項１に記載の浴室床パネル接続装置。
【請求項３】
前記係合部材及び前記第２接続部品の一方には、受け入れ穴と、前記受け入れ穴の径より小さい幅を有して前記受け入れ穴から前記変位方向に沿って延びる拘束溝とが形成され、前記係合部材及び前記第２接続部品の他方が、前記隣接方向に沿って前記一方の側へ突出された係合突起を含み、前記係合突起が、前記拘束溝の幅より小径の突出軸部と、前記突出軸部の突出端部に形成された軸頭部とを有し、前記軸頭部が、前記受け入れ穴より小径かつ前記拘束溝の幅より大径であることを特徴とする請求項１又は２に記載の浴室床パネル接続装置。
【請求項４】
前記係合部材及び前記第２接続部品の一方における前記拘束溝の側縁部には、前記他方とは反対側へ隆起する拘束隆起部が形成されていることを特徴とする請求項３に記載の浴室床パネル接続装置。
【請求項５】
前記拘束隆起部が、前記反対側を向く平坦頂面と、前記受け入れ穴の縁と前記平坦頂面とを連ねるとともに前記平坦頂面へ向かって前記反対側へ傾く傾斜案内面とを有していることを特徴とする請求項４に記載の浴室床パネル接続装置。
【請求項６】
前記第１接続部品又は第２接続部品が相手側を向く側面を有し、前記側面に水密材が設けられていることを特徴とする請求項４又は５に記載の浴室床パネル接続装置。
【請求項７】
前記第１接続部品が、前記第１床パネルに固定されて前記係合部材を昇降可能に保持するホルダ部材を有し、
前記操作部材が、前記ホルダ部材の上面部を回転可能に貫通して前記係合部材にねじ込まれたネジ部材であることを特徴とする請求項１〜６の何れか１項に記載の浴室床パネル接続装置。
【請求項８】
前記ホルダ部材の上面部には、浴室の壁パネル又は扉枠を受ける壁・扉受け凹部が形成され、前記操作部材の頭部が、前記壁・扉受け凹部に現れていることを特徴とする請求項７に記載の浴室床パネル接続装置。
【請求項９】
互いに並べられた複数の床パネルを備えた浴室床構造であって、
隣接方向に隣り合う第１床パネル及び第２床パネルと、
前記第１床パネル及び第２床パネルどうしを接続する浴室床パネル接続装置と、備え、
前記浴室床パネル接続装置が、
係合部材及び操作部材を有して、前記第１床パネルに設けられた第１接続部品と、
前記第２床パネルに設けられた第２接続部品と、を含み、
前記操作部材の操作によって、前記係合部材が、前記隣接方向と交差する変位方向に沿って着脱位置と拘束位置との間で移動可能であり、
前記第２接続部品が、前記着脱位置における前記係合部材と着脱可能かつ前記拘束位置における前記係合部材によって離間不能に拘束されることを特徴とする浴室床構造。
【請求項１０】
前記第１床パネルにおける浴室外周に面する側部には浴室の壁パネル又は扉枠を受ける第１枠部が設けられ、
前記第２床パネルにおける浴室外周に面する側部には前記壁パネル又は扉枠を受ける第２枠部が設けられ、前記第１、第２枠部どうしが一直線上に配置されており、
前記第１接続部品が、前記第１枠部における第２枠部側の端部に設けられ、
前記第２接続部品が、前記第２枠部における第１枠部側の端部に設けられていることを特徴とする請求項９に記載の浴室床構造。
【請求項１１】
前記浴室床パネル接続装置の上面部には、浴室壁パネル又は浴室扉枠を受ける壁・扉受け凹部が形成され、
前記操作部材が、前記壁・扉受け凹部に現れていることを特徴とする請求項１０に記載の浴室床構造。
【発明の詳細な説明】
【技術分野】
【０００１】
本発明は、浴室における床パネルの接続装置及び浴室床構造に関し、特に大型の浴室に適した浴室床パネル接続装置及び浴室床構造に関する。
【背景技術】
【０００２】
一般にユニットバスの床パネルは、圧縮成形、積層成形などによって作製され、施工現場に搬入されて設置される。
介護施設など向けの大型浴室の床は、成形機のサイズの制約、搬入やハンドリングのしやすさなどを考慮して、複数の浴室床パネルによって構成される。
【先行技術文献】
【特許文献】
【０００３】
【特許文献１】特開２０１７−２１８７９９号公報
【特許文献２】特開２０００−２３０２６１号公報
【発明の概要】
【発明が解決しようとする課題】
【０００４】
前記複数の浴室床パネルは、建築現場に搬入され、並べられて敷設されるとともに、隣接する浴室床パネルどうしが接続される。一方、浴室床の周りに建築躯体の壁が構築されていて、浴室の平面視外側のスペースが狭隘ないしは殆ど無い現場も少なくない。その場合、隣接する浴室床パネルどうしを浴室の平面視外側からビスで固定するのは不可能である。
本発明は、かかる事情に鑑み、複数の床パネルが並べられた浴室床を構築する際に前記床パネルどうしを確実かつ容易に接続可能とすることを目的とする。
【課題を解決するための手段】
【０００５】
前記課題を解決するため、本発明は、互いに並べられた複数の床パネルを備えた浴室床における、隣接方向に隣り合う第１床パネル及び第２床パネルどうしを接続する浴室床パネル接続装置であって、
係合部材及び操作部材を有して、前記第１床パネルに設けられた第１接続部品と、
前記第２床パネルに設けられた第２接続部品と、を備え、
前記操作部材の操作によって、前記係合部材が、前記隣接方向と交差する変位方向に沿って着脱位置と拘束位置との間で移動可能であり、
前記第２接続部品が、前記着脱位置における前記係合部材と着脱可能かつ前記拘束位置における前記係合部材によって離間不能に拘束されることを特徴とする。
【０００６】
建築現場において浴室床を施工する際は、第１床パネル及び第２床パネルを並べて配置する。かつ、係合部材を着脱位置に配置しておき、該係合部材と第２接続部品とを離間可能に係合させる。続いて、操作部材を操作することによって係合部材を拘束位置へ移動させる。これによって、係合部材と第２接続部品とが離間不能に拘束される。この結果、第１床パネル及び第２床パネルどうしを容易にかつしっかりと接続できる。
【０００７】
操作部材が、第１接続部品の上面に現れていることが好ましい。これによって、操作部材を上方から操作することができる。例えば浴室の平面視外側に躯体壁が近接して配置されていても、操作部材を支障無く操作できる。
前記係合部材の変位方向は、好ましくは非水平であり、より好ましくは上下方向（鉛直）である。前記係合部材が着脱位置と拘束位置との間で昇降されることが好ましい。
【０００８】
前記係合部材及び前記第２接続部品の一方には、受け入れ穴と、前記受け入れ穴の径より小さい幅を有して前記受け入れ穴から前記変位方向に沿って延びる拘束溝とが形成され、前記係合部材及び前記第２接続部品の他方が、前記隣接方向に沿って前記一方の側へ突出された係合突起を含み、前記係合突起が、前記拘束溝の幅より小径の突出軸部と、前記突出軸部の突出端部に形成された軸頭部とを有し、前記軸頭部が、前記受け入れ穴より小径かつ前記拘束溝の幅より大径であることが好ましい。
好ましくは、前記係合部材を着脱位置に配置したとき、受け入れ穴に係合突起が挿し込み可能となる。挿し込んだ状態で前記係合部材を拘束位置へ移動させると、係合突起が拘束溝へ移行され、軸頭部が拘束溝から抜けなくなり、拘束される。
【０００９】
前記係合部材及び前記第２接続部品の一方における前記拘束溝の側縁部には、前記他方とは反対側へ隆起する拘束隆起部が形成されていることが好ましい。
前記係合突起を前記受け入れ穴に差し込んだ状態で、前記係合部材を着脱位置から拘束位置へ移動させると、軸頭部が拘束隆起部に乗り上げることで前記反対側へ押圧される。これによって、第１、第２接続部品どうしを強く拘束できる。ひいては、第１、第２床パネルどうしを強固に接合できる。
【００１０】
前記拘束隆起部が、前記反対側を向く平坦頂面と、前記受け入れ穴の縁と前記平坦頂面とを連ねるとともに前記平坦頂面へ向かって前記反対側へ傾く傾斜案内面とを有していることが好ましい。
前記係合突起を前記受け入れ穴に差し込んだ状態で、前記係合部材を着脱位置から拘束位置へ移行させていくと、軸頭部が傾斜案内面に当たって案内されることで平坦頂面へスムーズに移行させることができる。平坦頂面に乗り上げた軸頭部は、平坦頂面と面接触される。これによって、強固な拘束状態を安定的に保持できる。
【００１１】
前記第１接続部品又は第２接続部品が相手側を向く側面を有し、前記側面に水密材が設けられていることが好ましい。
これによって、水密材を安定的に設置できる。前記係合部材を拘束位置にすることで前記押圧力を作用させると、該押圧力によって前記水密材が強く圧縮される。これによって、水密材の防水能力を確実に発現させることができる。
【００１２】
前記第１接続部品が、前記第１床パネルに固定されて前記係合部材を昇降可能に保持するホルダ部材を有し、
前記操作部材が、前記ホルダ部材の上面部を回転可能に貫通して前記係合部材にねじ込まれたネジ部材であることが好ましい。
これによって、操作部材の構成を簡易化できる。操作部材のネジ回し操作によって、係合部材が着脱位置と拘束位置との間で昇降（移動）される。係合部材をホルダ部材に保持させることによって、係合部材を安定的に昇降させることができる。操作部材を上方から操作できるから、浴室の平面視外側に躯体壁などがあっても支障無く、床パネル接続作業を行うことができる。
【００１３】
前記ホルダ部材の上面部には、浴室の壁パネル又は扉枠を受ける壁・扉受け凹部が形成され、前記操作部材の頭部が、前記壁・扉受け凹部に現れていることが好ましい。
これによって、ホルダ部材の上方から壁・扉受け凹部を通して操作部材を操作できる。その後、浴室壁パネル又は浴室扉枠を設置することで、操作部材を壁パネル又は扉枠によって隠すことができる。
【００１４】
本発明構造は、互いに並べられた複数の床パネルを備えた浴室床構造であって、
隣接方向に隣り合う第１床パネル及び第２床パネルと、
前記第１床パネル及び第２床パネルどうしを接続する浴室床パネル接続装置と、備え、
前記浴室床パネル接続装置が、
係合部材及び操作部材を有して、前記第１床パネルに設けられた第１接続部品と、
前記第２床パネルに設けられた第２接続部品と、を含み、
前記操作部材の操作によって、前記係合部材が、前記隣接方向と交差する変位方向に沿って着脱位置と拘束位置との間で移動可能であり、
前記第２接続部品が、前記着脱位置における前記係合部材と着脱可能かつ前記拘束位置における前記係合部材によって離間不能に拘束されることを特徴とする。
当該浴室床構造によれば、浴室床の床パネルどうしを確実かつ容易に接続することができる。
【００１５】
前記第１床パネルにおける浴室外周に面する側部には浴室の壁パネル又は扉枠を受ける第１枠部が設けられ、
前記第２床パネルにおける浴室外周に面する側部には前記壁パネル又は扉枠を受ける第２枠部が設けられ、前記第１、第２枠部どうしが一直線上に配置されており、
前記第１接続部品が、前記第１枠部における第２枠部側の端部に設けられ、
前記第２接続部品が、前記第２枠部における第１枠部側の端部に設けられていることが好ましい。
これによって、浴室床パネル接続装置を介して第１枠部と第２枠部とが接続される。ひいては、第１床パネルと第２床パネルとが接続される。
【００１６】
前記浴室床パネル接続装置の上面部には、浴室壁パネル又は浴室扉枠を受ける壁・扉受け凹部が形成され、
前記操作部材が、前記壁・扉受け凹部に現れていることが好ましい。
これによって、壁・扉受け凹部の上方から操作部材を操作できる。その後、浴室壁パネル又は浴室扉枠を設置することで、操作部材を壁パネル又は扉枠によって隠すことができる。浴室壁パネル又は浴室扉枠を、第１、第２枠部で受けるだけでなく、浴室床パネル接続装置によっても受けることができる。
浴室床パネル接続装置の壁・扉受け凹部を介して、前記第１、第２枠部の壁・扉受け凹部どうしが一直線に連なることがより好ましい。
【発明の効果】
【００１７】
本発明によれば、複数の床パネルが並べられた浴室床において、床パネルどうしを確実かつ容易に接続することができる。
【図面の簡単な説明】
【００１８】
【図１】図１は、本発明の一実施形態に係る浴室床を部分的に破断して示す平面図である。
【図２】図２は、前記浴室床の分解斜視図である。
【図３】図３は、図１のＩＩＩ−ＩＩＩ線に沿う浴室床の断面図である。
【図４】図４は、前記浴室床の浴室床パネルの分解斜視図である。
【図５】図５は、図３の円部Ｖを拡大して示す断面図である。
【図６】図６は、図１の円部ＶＩを拡大して示す平面図である。
【図７】図７は、図６のＶＩＩ−ＶＩＩ線に沿う正面断面図である。
【図８】図８は、図７のＶＩＩＩ線に沿う前記浴室床の浴室床パネル接続装置の側面断面図である。
【図９】図９は、前記浴室床パネル接続装置の分解斜視図である。
【図１０】図１０は、前記浴室床パネル接続装置によって隣接する浴室床パネルどうしを接続しようとする様子を示す正面断面図である。
【図１１】図１１は、前記浴室床パネル接続装置によって隣接する浴室床パネルどうしを接続するために突き当てた段階を示す正面断面図である。
【図１２】図１２は、図１１のＸＩＩ−ＸＩＩ線に沿う、前記浴室床パネル接続装置の側面断面図である。
【図１３】図１３（ａ）は、図１２のＸＩＩＩ−ＸＩＩＩ線に沿う拡大断面図である。図１３（ｂ）は、前記浴室床パネル接続装置の係合部材を同図（ａ）の状態から少し上昇操作した段階の拡大断面図である。
【発明を実施するための形態】
【００１９】
以下、本発明の一実施形態を図面にしたがって説明する。
本実施形態における浴室１は、例えば介護施設などにおいて用いられる比較的大型の浴室である。図１に示すように、浴室１の全体が洗い場になっている。浴室１の供用時には、別途、移動式の浴槽（図示せず）を搬入可能である。
【００２０】
図１及び図２に示すように、浴室床２（浴室床構造）は、架台３と、排水ピット４と、複数の浴室床パネル５と、表層シート６とを備えている。排水ピット４と、複数の浴室床パネル５とが、架台３に支持されている。浴室１の奥行方向Ｄ（図１において上下方向）の中央部（所定箇所）に排水ピット４が配置されている。浴室床２が、排水ピット４を挟んで２つの床部２ａに分かれている。各床部２ａには、複数（図１では例えば４つ）の浴室床パネル５が浴室１の幅方向（図１において左右）に並べられて設置されている。
【００２１】
図１及び図２に示すように、各浴室床パネル５は、平面視で長方形状（四角形状）になっており、その長手方向が浴室奥行方向Ｄへ向けられ、短手方向が浴室幅方向Ｗへ向けられている。図３に示すように、各浴室床パネル５ひいては床部２ａの上面（浴室床面）には、奥行方向Ｄの端部から排水ピット４へ向かうにしたがって下へ傾く水流れ勾配が形成されている。
なお、図１及び図２に示すように、浴室床２の１のコーナーには、建物躯体の柱を避ける柱欠き２ｃが形成されている。前記コーナーの浴室床パネル５Ｃには柱欠き部５ｅが形成されている。
柱欠き２ｃの有無や位置は、浴室１を設置する建物躯体に応じて適宜変更できる。
【００２２】
図４に示すように、各浴室床パネル５は、パネル体１０と、枠部１９を備えている。パネル体１０は、パネル本体１１と、下側補強板１３と、上側補強板１２を含む。パネル本体１１は、発泡樹脂によって構成されている。パネル本体１１の発泡樹脂材質は、例えばＥＰＳ（発泡ポリスチレン）であり、発泡倍率は１５倍〜３０倍程度である。なお、前記発泡樹脂材質は、これに限られず、発泡ポリエチレン、発泡ポリプロピレン等であってもよい。発泡樹脂製のパネル本体１１は断熱性を有している。
【００２３】
前記発泡樹脂製のパネル本体１１が上側補強板１２及び下側補強板１３によって上下から挟まれ、サンドイッチ構造となっている。これによって、パネル体１０の製造コストを安価にでき、かつ所要強度を確保できる。
【００２４】
補強板１２，１３は、ステンレス、鉄、鋼等の金属板や樹脂被覆化粧鋼板にて構成されている。なお、補強板１２，１３の材質は金属主体に限らず、熱硬化性樹脂などの硬質樹脂であってもよい。各補強板１２，１３の４つの端部にはそれぞれ側板部１２ｂ，１３ｂが一体に設けられている。図５に示すように、パネル本体１１と下側補強板１３とは、接着剤１５によって接着され、かつパネル本体１１と上側補強板１２とは、接着剤１５Ａによって接着されている。接着剤１５，１５Ａとしては、例えば熱硬化性の２液混合ウレタン系接着剤が用いられているが、これに限られず、エポキシ系接着剤、シリコーン系接着剤などであってもよい。接着剤１５，１５Ａは、パネル本体１１と補強板１３，１２との間の全面に塗布することが好ましいが、所要の接合性を得られるのであれば部分的に塗布してもよい。
【００２５】
図１及び図２に示すように、幅方向Ｗに隣り合う浴室床パネル５のパネル体１０の上面に跨って、表層シート６が敷設されている。表層シート６は、比較的軟質の樹脂やシリコンラバー等によって構成されている。表層シート６は、防水性を有している。更に、表層シート６によって、浴室床２の温熱感性及びクッション性が確保されている。表層シート６は、施工現場で適切な大きさに切断してもよく、予め工場でＮＣ切断機などを用いて定型サイズにしておいてもよい。
図５に示すように、各パネル体１０の上側補強板１２の上面に両面粘着テープ１４が積層されている。表層シート６と上側補強板１２とが、両面粘着テープ１４を介して接合されている。若しくは、表層シート６と上側補強板１２とが、接着剤によって接着されていてもよい。
【００２６】
図１及び図２に示すように、浴室床２の外周部の全周には、外周枠９が設けられている。外周枠９は、浴室床パネル５の浴室外周に面する外側部５ｗ，５ｄごとに枠部１９に分割されている。各浴室床パネル５における排水ピット４とは反対側の外側部５ｗには、枠部１９Ｗが幅方向Ｗへ延びるように配置されている。浴室床２の幅方向Ｗの両端の浴室床パネル５における、外側部５ｗと交差する外側部５ｄには、枠部１９Ｄが浴室奥行方向Ｄへ延びるように配置されている。
各浴室床パネル５における、隣接する浴室床パネルとの隣接側部５ｂ及び排水ピット側部５ａには、枠部１９が設けられていない。
排水ピット４の短手側縁には、短いピット枠部１９Ｃが設けられている。排水ピット４を挟んで両側の奥行方向枠部１９Ｄが、ピット枠部１９Ｃを介して平面視で一直線に連なっている。
【００２７】
図４に示すように、枠部１９ひいては外周枠９は、壁・扉受け部１７と、表層端受け部１８とを含む。図３に示すように、壁・扉受け部１７の上面部には、浴室壁パネル７又は浴室扉枠（図示せず）を受ける壁・扉受け凹部１７ｆが形成されている。表層端受け部１８は、表層シート６における排水ピット４側以外の端部６ｄを受けている。これら受け部１９ａ，１９ｂは、それぞれアルミの押出型材によって構成されている。
【００２８】
図１及び図４に示すように、幅方向枠部１９Ｗにおける壁・扉受け部１７及び表層端受け部１８は、共に、浴室幅方向Ｗ（幅方向側部５ｗの長手方向）に沿って水平に延びている。
奥行方向枠部１９Ｄにおいては、壁・扉受け部１７は、浴室奥行方向Ｄ（奥行方向側部５ｄの長手方向）に沿って水平に延びる一方、表層端受け部１８は、前記水流れ勾配に沿うように壁・扉受け部１７に対して斜めに延びている。図３及び図４に示すように、奥行方向枠部１９Ｄにおいては、壁・扉受け部１７が表層端受け部１８よりも上側へ突出され、該壁・扉受け部１７の上側突出部分の側部１７ｂが浴室内側に露出されている。
【００２９】
図１及び図６に示すように、浴室幅方向Ｗ（隣接方向）に隣接する枠部１９Ｗどうし間に浴室床パネル接続装置２０が介在されている。接続装置２０を介して、これら隣接する２つの枠部１９どうしが一直線に接続され、ひいては隣接する２つの浴室床パネル５，５どうしが接続されている。
以下、前記隣接する２つの枠部１９どうしを区別するときは、一方を「第１枠部１９Ａ」と称し、他方を「第２枠部１９Ｂ」と称す。前記隣接する２つの浴室床パネル５どうしを区別するときは、一方を「第１床パネル５Ａ」と称し、他方を「第２床パネル５Ｂ」と称す。
【００３０】
図７に示すように、接続装置２０は、第１接続部品３０と、第２接続部品４０を備えている。第１接続部品３０は、第１床パネル５Ａの第１枠部１９Ａにおける第２枠部側の端部に設けられている。第２接続部品４０は、第２床パネル５Ｂの第２枠部１９Ｂにおける第１枠部側の端部に設けられている。
【００３１】
図８及び図９に示すように、第１接続部品３０は、ホルダ部材３１と、係合部材３２と、操作部材３３と、補強金具３４を有している。
ホルダ部材３１は、硬質樹脂によって構成され、上下に長いケース状になっている。図４に示すように、幅方向Ｗから矢視したホルダ部材３１の側面視形状は、アルミ押出型材からなる壁・扉受け部１７の断面形状とほぼ同一に形成されている。ホルダ部材３１の上面部には、壁・扉受け凹部３１ｆが形成されている。壁・扉受け凹部３１ｆは、枠部１９の壁・扉受け凹部１７ｆと同一断面に形成され、浴室壁パネル７（又は浴室扉枠）の底部を受ける。図６に示すように、隣接する枠部１９Ａ，１９Ｂの壁・扉受け凹部１７ｆ，１７ｆどうしが、ホルダ部材３１の壁・扉受け凹部３１ｆを介して一直線に連なっている。
【００３２】
図７及び図９に示すように、ホルダ部材３１における第１枠部１９Ａ側の第１側板３１ａには、上下一対の切欠凹部３１ｄが形成されている。第２枠部１９Ｂ側の第２側板３１ｂには、上下一対の切欠凹部３１ｅが形成されている。
【００３３】
図７に示すように、第１側板３１ａの外側面には、水密材５１が設けられている。第２側板３１ｂの外側面（相手側を向く側面）には、水密材５２が設けられている。これら水密材５１，５２は、例えばＥＰＤＭの発泡体によって構成されている。各側板３１ａ，３１ｂの外側面は面状であるから、水密材５１，５２を安定的に設置することができる。
【００３４】
ホルダ部材３１は、上下一対の固定ねじ３７によって第１枠部１９Ａの端面に固定されている。第１側板３１ａの内側面には平板状の補強金具３４が添えられている。固定ねじ３７が、補強金具３４の挿通孔３４ｄ及び第１側板３１ａの切欠凹部３１ｄを通して、第１枠部１９Ａにねじ込まれている。固定ねじ３７の頭部と第１側板３１ａとの間に補強金具３４が挟み付けられている。かつ水密材５１が第１枠部１９Ａの端面と第１側板３１ａとの間に挟まれて圧縮されている。これによって、第１枠部１９Ａとホルダ部材３１との間が、水密材５１によって防水処理されている。
【００３５】
図７及び図８に示すように、ホルダ部材３１の内部に係合部材３２が収容されている。係合部材３２は、縦板部３２ａと、上板部３２ｂと、底板部３２ｄを有し、上下に長いコ字状の金具によって構成されている。縦板部３２ａが、枠部１９Ａ，１９Ｂどうしの対向方向と直交するように向けられて、第２側板３１ｂの内側面に添うように配置されている。縦板部３２ａ（係合部材及び第２接続部品の一方）には、上下一対の係合受け部３５が形成されている。なお、係合部材３２における係合受け部３５の数は、１つだけでもよく、３つ以上でもよい。
【００３６】
図９に示すように、各係合受け部３５は、受け入れ穴３５ａと、拘束溝３５ｂと、拘束隆起部３６を含む。受け入れ穴３５ａは、円形に形成され、縦板部３２ａの厚さ方向に貫通している。受け入れ穴３５ａから下方へ（前記変位方向に沿って）拘束溝３５ｂが延びている。拘束溝３５ｂの幅は、受け入れ穴３５ａの直径より小さい。
【００３７】
縦板部３２ａにおける拘束溝３５ｂの両側の側縁部には、それぞれ切り起こしによって拘束隆起部３６が形成されている。一対の拘束隆起部３６が、拘束溝３５ｂを挟んで対峙するように配置されている。各拘束隆起部３６は、縦板部３２ａから第１側板３１ａ（係合部材及び第２接続部品の他方とは反対側）へ隆起されている。
【００３８】
拘束隆起部３６における第１側板３１ａを向く表側面は、平坦頂面３６ａと、傾斜案内面３６ｂとを含む。傾斜案内面３６ｂは、受け入れ穴３５ａの下側の縁に連なるとともに、そこから下方へ向かって第１側板３１ａ側へ傾けられている。傾斜案内面３６ｂの下端部に平坦頂面３６ａが連なっている。平坦頂面３６ａは、縦板部３２ａにおける第１側板３１ａを向く表側面よりも第１側板３１ａ側へ突出され、かつ枠部１９Ａ，１９Ｂどうしの対向方向Ｗひいては床パネル５Ａ，５Ｂどうしの隣接方向に対して直交している。
【００３９】
図７及び図１０に示すように、係合部材３２は、ホルダ部材３１内において上下（前記隣接方向と交差する変位方向）に変位（昇降）可能である。図７及び図８に示すように、ホルダ部材３１には、前記昇降用の操作部材３３が設けられている。操作部材３３は、ネジによって構成されている。該操作部材３３が、ホルダ部材３１の上板部３１ｃ（上面部）を貫通して、ホルダ部材３１の内部空間に垂下され、係合部材３２の上板部３２ｂにねじ込まれている。操作部材３３を構成するネジの頭部３３ａ（操作部）は、上板部３１ｃに回転可能に係止されている。頭部３３ａは、ホルダ部材３１の壁・扉受け凹部３１ｆの底部に現れている。
【００４０】
操作部材３３のネジ回し操作によって、係合部材３２が、上側の拘束位置（図７）と下側の着脱位置（図１０）との間で昇降される。このとき、係合部材３２が操作部材３３からのトルクで回転しないようにホルダ部材３１によって保持される。
図１０〜図１２に示すように、係合部材３２が着脱位置のとき、底板部３２ｄがホルダ部材３１の底部に着座される。かつ一対の受け入れ穴３５ａがそれぞれ対応する切欠凹部３１ｅと同じ高さに位置され、これら受け入れ穴３５ａと切欠凹部３１ｅとが連通される。
図７及び図８に示すように、係合部材３２が拘束位置のとき、上板部３２ｂがホルダ部材３１の上板部３１ｃの下面に当たっている。かつ、受け入れ穴３５ａは対応する切欠凹部３１ｅの上方へずれ、拘束溝３５ｂ及び拘束隆起部３６が切欠凹部３１ｅの高さに位置されている。
【００４１】
図７及び図９に示すように、第２枠部１９Ｂに設けられた第２接続部品４０は、上下一対の接続ネジ部材４１を含む。各接続ネジ部材４１は、第２枠部１９Ｂの長手方向に向けられて、第２枠部１９Ｂにおける第１枠部１９Ａとの対向端部にねじ込まれている。上側の接続ネジ部材４１の配置高さは、第１接続部品３０の上側の切欠凹部３１ｅの配置高さと一致している。下側の接続ネジ部材４１の配置高さは、第１接続部品３０の下側の切欠凹部３１ｅの配置高さと一致している。
【００４２】
接続ネジ部材４１の首下部における頭部側の部分の外周に筒部材４２が嵌められている。これによって、接続ネジ部材４１が、筒部材４２の配置部分において大径化された段付きネジとなっている。接続ネジ部材４１における前記筒部材４２の配置部分及び頭部は、第２枠部１９Ｂの前記対向端部から第１枠部１９Ａ側へ突出され、係合突起４３となっている。係合突起４３は、突出軸部４４と、軸頭部４５を含む。接続ネジ部材４１における筒部材４２の配置部分及び筒部材４２によって、突出軸部４４が構成されている。図８に示すように、突出軸部４４の直径（筒部材４２の外直径）は拘束溝３５ｂの幅より小さい。
図７に示すように、筒部材４２における第２枠部１９Ｂ側の端部（前記段付きネジの段差）は、第２枠部１９Ｂの端面に突き当たっている。
筒部材４２における第１枠部１９Ａ側の端部は、軸頭部４５に突き当たっている。
第２接続部品４０として、接続ネジ部材４１と筒部材４２とが一体化された形状の一体物の段付きネジを用いてもよい。
【００４３】
突出軸部４４の突出端部（図７において左端部）には、接続ネジ部材４１の頭部からなる軸頭部４５が設けられている。軸頭部４５は、筒部材４２の外径より大径であり、ひいては突出軸部４４より大径である。かつ、軸頭部４５の直径は、係合部材３２の受け入れ穴３５ａの直径より小さく、拘束溝３５ｂの幅より大きい。
【００４４】
係合突起４３は、係合部材３２と係合可能である。
図１０に示すように、係合部材３２が着脱位置のとき、上下一対の受け入れ穴３５ａが、それぞれ対応する係合突起４３と同じ高さに位置される。床パネル５Ａ，５Ｂを水平に接近離間させることによって、係合突起４３が受け入れ穴３５ａに挿抜可能である。図１１に示すように、床パネル５Ａ，５Ｂの対向端面どうしを突き当てた状態では、係合突起４３が受け入れ穴３５ａに受け入れられる。詳しくは、突出軸部４４が、受け入れ穴３５ａを貫通し、軸頭部４５が受け入れ穴３５ａの周縁の縦板部３２ａより第１側板３１ａの側へ突出して位置される。
【００４５】
図７及び図８に示すように、接続状態の床パネル５Ａ，５Ｂにおいては、両者間の接続装置２０の係合部材３２が拘束位置に配置されている。拘束位置においては、上下一対の係合受け部３５の拘束溝３５ｂ及び拘束隆起部３６がそれぞれ対応する係合突起４３と同じ高さに位置されている。係合突起４３の突出軸部４４は、拘束溝３５ｂに通され、かつ軸頭部４５が拘束隆起部３６の平坦頂面３６ａに当たって引っ掛かっている。しかも、軸頭部４５は、平坦頂面３６ａに強く押し当てられて拘束されている。これによって、第１、第２接続部品３０，４０どうしが離間不能に係合され、更には第１、第２枠部１９Ａ，１９Ｂどうし、ひいては床パネル５Ａ，５Ｂどうしが離間不能に接続されている。
【００４６】
なお、図１に示すように、排水ピット４の短手側縁のピット枠部１９Ｃと各奥行方向枠部１９Ｄとは、接続装置２９を介して接続されている。接続装置２９は、幅方向枠部１９Ｗ，１９Ｗどうし用の前記接続装置２０と同一構造になっている。
【００４７】
建築現場において浴室床２を施工する際は、まず架台３を設置する。その上に排水ピット４を架設する。さらに、複数の床パネル５を並べて配置し、かつ隣接する床パネル５（５Ａ，５Ｂ）どうしを、次のようにして接続する。
図１０に示すように、接続装置２０の係合部材３２は着脱位置に配置しておく。そして、床パネル５Ａ，５Ｂどうしを水平に対峙させる。図１１及び図１２に示すように、これら床パネル５Ａ，５Ｂどうしを互いに接近させて、突き当てる。接近操作に伴って、第２床パネル５Ｂの係合突起４３が、第１床パネル５Ａの切欠凹部３１ｅを通して、受け入れ穴３５ａに受け入れられる。
続いて、操作部材３３を操作することによって、図７及び図８に示すように、係合部材３２を拘束位置まで上昇させる。操作部材３３の頭部３３ａをホルダ部材３１の上板部３１ｃに配置することによって、操作部材３３を上方から容易にネジ回し操作できる。したがって、浴室床２の平面視外側に躯体壁８などが近接して配置されていても、操作部材３３の操作に支障を来すことがない。
係合部材３２が拘束位置へ向かって上昇されるのに伴って、係合突起４３の突出軸部４４が、受け入れ穴３５ａから拘束溝３５ｂへ移行される。さらに図１３（ａ）〜同図（ｂ）に拡大して示すように、軸頭部４５が、拘束隆起部３６の傾斜案内面３６ｂに沿って第１枠部１９Ａ側（図１３において左側）へ押されながら平坦頂面３６ａ側へ移行される。傾斜された案内面３６ｂによって軸頭部４５を平坦頂面３６ａ側へスムーズに案内できる。これに伴って、係合突起４３ひいては第２枠部１９Ｂが第１枠部１９Ａ側へ引き寄せられる。
【００４８】
係合部材３２が拘束位置に到達すると、軸頭部４５が、拘束隆起部３６の平坦頂面３６ａに乗り上げ、第１枠部１９Ａ側へ強く押圧される。このため、係合突起４３を介して第２枠部１９Ｂには、第１枠部１９Ａ側へ向かって強い押圧力ないしは引き寄せ力が作用する。言い換えると、第１、第２枠部１９Ａ，１９Ｂどうしが強く圧接される。これによって、第１、第２床パネル５Ａ，５Ｂどうしを強固に接合できる。更に、前記引き寄せ力によって水密材５２が強く圧縮される。これによって、水密材５２の防水能力を確実に発現させることができ、第１接続部品３０と第２枠部１９Ｂとの間を確実にシールできる。
このようにして、浴室の平面視外側のスペースが狭隘ないしは殆ど無い建築現場であっても、床パネル５どうしを容易かつ確実に接続できる。
【００４９】
その後、表層シート６の敷設、浴室壁パネル７（又は扉枠）の設置作業などを行う。浴室壁パネル７（又は扉枠）の底部は、枠部１９の壁・扉受け凹部１７ｆに嵌め入れられるだけでなく、接続装置２０の壁・扉受け凹部３１ｆにも嵌め入れられる。したがって、操作部材３３を浴室壁パネル７（又は扉枠）によって隠すことができる。操作部材３３が壁・扉受け部１７の側部１７ｂなどに露出して浴室内から見えることもない。
【００５０】
本発明は、前記実施形態に限定されるものではなく、その趣旨を逸脱しない範囲において種々の改変をなすことができる。
例えば、接続装置２０が、隣接する第１、第２床パネル５Ａ，５Ｂのパネル体１０，１０どうし間に設けられていてもよい。
第１床パネル５Ａ側の第１接続部品３０の係合部材が係合突起を有し、該係合突起が操作部材３３によって着脱位置と拘束位置との間で移動可能であってもよい。かつ第２床パネル５Ｂ側の第２接続部品４０が、前記第１接続部品３０の係合突起に対する受け入れ穴３５ａ及び拘束溝３５ｂを有し、更には拘束隆起部３６を有していてもよい。
拘束位置が着脱位置に対して下方に位置されていてもよい。係合部材を下降させることによって拘束位置になるようにしてもよい。
さらに、操作部材３３による係合部材の変位方向は、床パネル５Ａ，５Ｂの隣接方向に対して交差していればよく、好ましくは非水平であればよく、鉛直方向に限られず、鉛直方向に対して斜め方向であってもよい。
枠部１９は、必ずしも浴室幅方向Ｗの全域ないしは浴室外周の全域に設けられている必要は無く、浴室幅方向Ｗないしは浴室外周の一部だけに部分的に設けられていてもよい。
本発明の浴室床構造は、介護施設などの大型浴室に限らず、戸建て住宅や集合住宅その他の浴室にも適用できる。
床パネルはＦＲＰ製であってもよい。
浴室が、浴槽及び浴槽受けパンを有していてもよい。本発明の浴室床パネルが、前記浴槽受けパンを含んでいてもよい。
【産業上の利用可能性】
【００５１】
本発明は、例えば介護施設などの大型の浴室に適用できる。
【符号の説明】
【００５２】
Ｗ        浴室幅方向（隣接方向）
１        浴室
２        浴室床（浴室床構造）
５        床パネル
５Ａ      第１床パネル
５Ｂ      第２床パネル
７        浴室壁パネル
８        躯体壁
１７      壁・扉受け部
１７ｆ    壁・扉受け凹部
１９      枠部
１９Ａ    第１枠部
１９Ｂ    第２枠部  
２０      浴室床パネル接続装置
３０      第１接続部品
３１      ホルダ部材
３１ｃ    上板部（上面部）
３１ｆ    壁・扉受け凹部
３２      係合部材
３３      操作部材（ネジ部材）
３３ａ    頭部（操作部）
３５      係合受け部
３５ａ    受け入れ穴
３５ｂ    拘束溝
３６      拘束隆起部
３６ｂ    傾斜案内面
３６ａ    平坦頂面
４０      第２接続部品
４３      係合突起
４４      突出軸部
４５      軸頭部
５２      水密材
【図１】
2020059993.tif 000003
【図２】
2020059993.tif 000004
【図３】
2020059993.tif 000005
【図４】
2020059993.tif 000006
【図５】
2020059993.tif 000007
【図６】
2020059993.tif 000008
【図７】
2020059993.tif 000009
【図８】
2020059993.tif 000010
【図９】
2020059993.tif 000011
【図１０】
2020059993.tif 000012
【図１１】
2020059993.tif 000013
【図１２】
2020059993.tif 000014
【図１３】
2020059993.tif 000015